(57)【要約】【課題】コンテンツ出力装置において、ユーザが、今回のコンテンツの視聴を開始する前に、これまでのコンテンツの内容を思い出すことができるようにする。【解決手段】視聴予約された番組が連続放送番組である場合（Ｓ１でＹＥＳ）、ＣＰＵは、今回の番組の放送が開始される前に、前回の番組の特定シーンを自動的に再生するようにした（Ｓ５、Ｓ７）。これにより、ユーザが、今回の番組の視聴を開始する前に、前回の番組の内容を思い出すことができるので、連続放送番組のストーリが分からなくなってしまうことを防ぐことができる。【選択図】図３
2013236279.tif 000002
【特許請求の範囲】
【請求項１】
コンテンツを出力するコンテンツ出力手段と、
前記コンテンツに関連したコンテンツ情報を編集するコンテンツ情報編集手段と、
前記コンテンツ出力手段による前記コンテンツの出力を行うときに、該コンテンツを出力する前に、前記コンテンツ情報編集手段により編集されたコンテンツ情報を出力するように制御する出力制御手段とを備えたコンテンツ出力装置。
【請求項２】
前記コンテンツ情報は、前記コンテンツの特定シーンであることを特徴とする請求項１に記載のコンテンツ出力装置。
【請求項３】
前記コンテンツは、連続して放送される連続放送テレビジョン番組であり、
前記コンテンツ情報は、前回の前記テレビジョン番組の特定シーンであり、
前記出力制御手段は、前記コンテンツ出力手段による今回の前記テレビジョン番組の出力を行うときに、今回の前記テレビジョン番組を出力する前に、前記コンテンツ情報編集手段により編集された前回の前記テレビジョン番組の特定シーンを出力するように制御することを特徴とする請求項２に記載のコンテンツ出力装置。
【請求項４】
前記コンテンツ出力手段により出力される前記テレビジョン番組が、前記連続放送テレビジョン番組であるか否かを判定する連続放送判定手段をさらに備え、
前記コンテンツ情報編集手段は、前記連続放送判定手段により前記テレビジョン番組が前記連続放送テレビジョン番組であると判定されたときに、このテレビジョン番組の特定シーンを録画するように制御することを特徴とする請求項３に記載のコンテンツ出力装置。
【請求項５】
前記コンテンツ出力手段による前記テレビジョン番組の出力を行うときに、前回の前記テレビジョン番組の特定シーンが録画されているか否かを示す特定シーン有無情報を記憶する特定シーン有無情報記憶手段と、
前記コンテンツ出力手段による今回の前記テレビジョン番組の出力の前に、前記特定シーン有無情報記憶手段に記憶された特定シーン有無情報に基づいて、前回の前記テレビジョン番組の特定シーンが録画されているか否かを判定する特定シーン有無判定手段とをさらに備え、
前記出力制御手段は、前記特定シーン有無判定手段により前回の前記テレビジョン番組の特定シーンが録画されていると判定されたときに、今回の前記テレビジョン番組を出力する前に、前回の前記テレビジョン番組の特定シーンを出力するように制御することを特徴とする請求項３又は請求項４に記載のコンテンツ出力装置。
【請求項６】
前記コンテンツ出力手段により出力される前記テレビジョン番組の特定シーンを作成するか否かをユーザが設定するための特定シーン作成設定手段をさらに備え、
前記コンテンツ情報編集手段は、前記特定シーン作成設定手段により特定シーンを作成すると設定されたテレビジョン番組の特定シーンを録画するように制御することを特徴とする請求項３乃至請求項５のいずれか一項に記載のコンテンツ出力装置。
【請求項７】
前記コンテンツ情報編集手段は、視聴率データに基づく前記テレビジョン番組毎の盛上り部分が存在する時間帯の傾向に基づいて、前記テレビジョン番組の特定シーンを編集することを特徴とする請求項３乃至請求項６のいずれか一項に記載のコンテンツ出力装置。
【請求項８】
前記コンテンツは、ビデオコンテンツであり、
前記出力制御手段は、前記ビデオコンテンツの出力を一定時間以上中断した後に、前記ビデオコンテンツの出力を再開するときに、前記ビデオコンテンツにおける未出力部分を出力する前に、前記ビデオコンテンツにおける出力が終了している部分の特定シーンを出力するように制御することを特徴とする請求項２に記載のコンテンツ出力装置。
【発明の詳細な説明】
【技術分野】
【０００１】
本発明は、テレビジョン番組やビデオコンテンツ等のコンテンツを出力するコンテンツ出力装置に関する。
【背景技術】
【０００２】
従来から、コンテンツを出力するコンテンツ出力装置において、テレビジョン番組の視聴を予約する機能である視聴予約機能を有するテレビジョン受像機等のテレビジョン受信装置がある。この視聴予約機能を用いると、ユーザが別番組を視聴しているときでも、視聴予約した時刻になると、テレビジョン受信装置側が、自動的にチャンネルを、視聴予約したテレビジョン番組のチャンネルに切り換えるので、ユーザは、視聴予約したテレビジョン番組を見逃すことがなくなる。
【０００３】
ところが、上記従来の視聴予約機能を有するテレビジョン受信装置では、視聴予約されたテレビジョン番組が連続放送テレビジョン番組（ドラマ等の複数回に亘って連続して放送されるテレビジョン番組）である場合、ユーザが、前回のテレビジョン番組の内容を思い出す前に、今回のテレビジョン番組の視聴を開始することが多い。このため、ユーザが、シリーズ物のテレビジョン番組のストーリを分からなくなってしまうことがある。また、ユーザが、ビデオコンテンツの視聴を一定時間以上中断した後に、このコンテンツの視聴を再開する場合にも、ユーザが、このコンテンツにおける視聴が終了している部分の内容を思い出す前に、未視聴部分の視聴を開始することが多いため、このコンテンツのストーリが分からなくなってしまうことがある。
【０００４】
ところで、テレビジョン受信装置の分野において、記録再生部を備え、番組情報内の特定シーンの区間を示す記録制御信号を有する付加情報が多重化された放送信号を受信して、記録制御信号を検出することにより、上記の特定シーンのみを記録再生部に自動的に記録するようにした受信装置が知られている（特許文献１参照）。しかしながら、この受信装置では、放送信号に、ハイライトシーンなどの特定シーンに関連する記録制御信号を付加情報として重畳させる必要がある。また、この受信装置では、視聴予約されたテレビジョン番組がシリーズ物のテレビジョン番組である場合、ユーザが今回のテレビジョン番組の視聴を開始する前に、前回のテレビジョン番組の特定シーンを再生するためには、ユーザが、記録再生部に記録された前回のテレビジョン番組の特定シーンを再生するための指示操作を行う必要がある。
【先行技術文献】
【特許文献】
【０００５】
【特許文献１】特開２００５−２７８２１４号公報
【発明の概要】
【発明が解決しようとする課題】
【０００６】
本発明は、上記課題を解決するものであり、ユーザが、今回のコンテンツの視聴を開始する前に、これまでのコンテンツの内容を思い出すことができるようにして、ユーザがコンテンツのストーリを分からなくなってしまうことを防ぐことが可能なコンテンツ出力装置を提供することを目的とする。
【課題を解決するための手段】
【０００７】
上記課題を解決するために、請求項1の発明は、コンテンツを出力するコンテンツ出力手段と、前記コンテンツに関連したコンテンツ情報を編集するコンテンツ情報編集手段と、前記コンテンツ出力手段による前記コンテンツの出力を行うときに、該コンテンツを出力する前に、前記コンテンツ情報編集手段により編集されたコンテンツ情報を出力するように制御する出力制御手段とを備えたコンテンツ出力装置である。
【０００８】
請求項２の発明は、請求項１に記載のコンテンツ出力装置において、前記コンテンツ情報は、前記コンテンツの特定シーンであるものである。
【０００９】
請求項３の発明は、請求項２に記載のコンテンツ出力装置において、前記コンテンツは、連続して放送される連続放送テレビジョン番組であり、前記コンテンツ情報は、前回の前記テレビジョン番組の特定シーンであり、前記出力制御手段は、前記コンテンツ出力手段による今回の前記テレビジョン番組の出力を行うときに、今回の前記テレビジョン番組を出力する前に、前記コンテンツ情報編集手段により編集された前回の前記テレビジョン番組の特定シーンを出力するように制御するものである。
【００１０】
請求項４の発明は、請求項３に記載のコンテンツ出力装置において、前記コンテンツ出力手段により出力される前記テレビジョン番組が、前記シリーズ物のテレビジョン番組であるか否かを判定するシリーズ物判定手段をさらに備え、前記コンテンツ情報編集手段は、前記テレビジョン番組が前記シリーズ物判定手段により前記シリーズ物のテレビジョン番組であると判定されたときに、このテレビジョン番組の特定シーンを録画するように制御するものである。
【００１１】
請求項５の発明は、請求項３又は請求項４に記載のコンテンツ出力装置において、前記コンテンツ出力手段による前記テレビジョン番組の出力を行うときに、前回の前記テレビジョン番組の特定シーンが録画されているか否かを示す特定シーン有無情報を記憶する特定シーン有無情報記憶手段と、前記コンテンツ出力手段による今回の前記テレビジョン番組の出力の前に、前記特定シーン有無情報記憶手段に記憶された特定シーン有無情報に基づいて、前回の前記テレビジョン番組の特定シーンが録画されているか否かを判定する特定シーン有無判定手段とをさらに備え、前記出力制御手段は、前記特定シーン有無判定手段により前回の前記テレビジョン番組の特定シーンが録画されていると判定されたときに、今回の前記テレビジョン番組を出力する前に、前回の前記テレビジョン番組の特定シーンを出力するように制御するものである。
【００１２】
請求項６の発明は、請求項３乃至請求項５のいずれか一項に記載のコンテンツ出力装置において、前記コンテンツ出力手段により出力される前記テレビジョン番組の特定シーンを作成するか否かをユーザが設定するための特定シーン作成設定手段をさらに備え、前記コンテンツ情報編集手段は、前記特定シーン作成設定手段により特定シーンを作成すると設定されたテレビジョン番組の特定シーンを録画するように制御するものである。
【００１３】
請求項７の発明は、請求項３乃至請求項６のいずれか一項に記載のコンテンツ出力装置において、前記コンテンツ情報編集手段は、視聴率データに基づく前記テレビジョン番組毎の盛上り部分が存在する時間帯の傾向に基づいて、前記テレビジョン番組の特定シーンを編集するものである。
【００１４】
請求項８の発明は、請求項２に記載のコンテンツ出力装置において、前記コンテンツは、ビデオコンテンツであり、前記出力制御手段は、前記ビデオコンテンツの出力を一定時間以上中断した後に、前記ビデオコンテンツの出力を再開するときに、前記ビデオコンテンツにおける未出力部分を出力する前に、前記ビデオコンテンツにおける出力が終了している部分の特定シーンを出力するように制御するものである。
【発明の効果】
【００１５】
本発明によれば、今回のコンテンツを出力する前に、このコンテンツに関連したコンテンツ情報（例えば、前回のコンテンツの特定シーン）を出力するので、ユーザが、今回のコンテンツの視聴を開始する前に、これまでのコンテンツの内容を思い出すことができる。これにより、ユーザがコンテンツのストーリを分からなくなってしまうことを防ぐことができる。
【図面の簡単な説明】
【００１６】
【図１】本発明の第１の実施形態に係るＴＶ受像機の電気的ブロック構成図。
【図２】同ＴＶ受像機と接続されたハードディスクレコーダの電気的ブロック構成図。
【図３】同ＴＶ受像機において視聴予約をした番組の視聴時に行われる処理を示すフローチャート。
【図４】同ＴＶ受像機のメモリに記憶された視聴予約管理テーブルの内容を示す図。
【図５】本発明の第２の実施形態に係るＴＶ受像機において用いられる視聴予約登録画面を示す図。
【図６】同ＴＶ受像機において視聴予約をした番組の視聴時に行われる処理を示すフローチャート。
【図７】本発明の第３の実施形態に係るハードディスクレコーダと接続された表示装置の電気的ブロック構成図。
【図８】同ハードディスクレコーダの電気的ブロック構成図。
【図９】本発明の第４の実施形態に係るＴＶ受像機の電気的ブロック構成図。
【図１０】同ＴＶ受像機においてビデオコンテンツの視聴を一定時間以上中断した後に再開する場合に行われる処理を示すフローチャート。
【図１１】同ＴＶ受像機のメモリに記憶された再生管理テーブルの内容を示す図。
【発明を実施するための形態】
【００１７】
以下、本発明の実施形態について、図面を参照して説明する。以下の実施形態では、本発明を液晶ディジタルテレビジョン受像機及びハードディスクレコーダに適用した場合の例について説明する。なお、以下に記載した実施形態は、本発明を網羅するものではなく、本発明は、下記の形態だけに限定されない。
【００１８】
図１は、第１の実施形態によるコンテンツ出力装置である液晶ディジタルテレビジョン受像機（以下、ＴＶ受像機という）を含むＡＶ（Ａｕｄｉｏ  ａｎｄ  Ｖｉｓｕａｌ）システムを示す。ＡＶシステム１０は、ＴＶ受像機１と、ハードディスクレコーダ２（以下、ＨＤＲ（Ｈａｒｄｄｉｓｋ  Ｒｅｃｏｒｄｅｒ）という）とから構成されている。ＴＶ受像機１とＨＤＲ２との間は、ＨＤＭＩケーブル３でＨＤＭＩ接続されている。
【００１９】
図に示されるように、ＴＶ受像機１は、装置全体の制御を行うＣＰＵ１１（コンテンツ情報編集手段、出力制御手段、連続放送判定手段、特定シーン有無判定手段）と、装置各部に電力を供給する電源１２とを備えている。また、ＴＶ受像機１は、アンテナ１３を介してディジタルテレビジョン放送信号（トランスポートストリーム）を受信するためのチューナ１４と、チューナ１４で受信したトランスポートストリーム中のパケットをデコードすることにより、映像ストリーム、音声ストリーム、データストリームを生成するＭＰＥＧデコーダ１５とを備えている。
【００２０】
また、ＴＶ受像機１は、ＭＰＥＧデコーダ１５で生成された映像ストリーム及び音声ストリーム、又はＨＤＭＩレシーバ２４で受信したＨＤＭＩ信号に含まれる映像信号及び音声信号のいずれかを、選択的に映像信号処理回路１７及び音声信号処理回路２０に出力することにより、映像信号及び音声信号の入力元の機器を切り換える入力切換部１６を備えている。入力切換部１６は、ユーザがリモコン（リモートコントローラ）２９を用いて行った切換操作の内容に応じた制御信号を、リモコン信号受信部２５を介してＣＰＵ１１から受信して、受信した制御信号の内容に応じた、映像信号の入力元の機器の切り換えを行う。
【００２１】
また、ＴＶ受像機１は、入力切換部１６から出力された映像信号に対して画像処理等の各種の処理を施して、これらの処理後の映像信号を再生する映像信号処理回路１７と、映像信号処理回路１７から受信した映像信号に基づいて表示用電極を駆動する電極駆動回路１８と、映像信号処理回路１７による映像信号処理後の映像信号に基づく映像を表示する液晶表示パネル１９とを備えている。
【００２２】
さらにまた、ＴＶ受像機１は、入力切換部１６を介して入力された音声信号に対して、Ｄ／Ａ変換処理を含む各種の音声信号処理を行う音声信号処理回路２０と、音声信号処理回路２０から出力された音声信号を増幅するアンプ２１と、アンプ２１で増幅された音声信号に駆動されて音声を出力する内蔵の本体スピーカ２２とを備えている。
【００２３】
本実施形態では、主に、映像信号処理回路１７、液晶表示パネル１９、音声信号処理回路２０、及び本体スピーカ２２が、請求項におけるコンテンツ出力手段に相当する。
【００２４】
上記のＴＶ受像機１は、視聴予約に関する操作等の各種操作に用いられるリモコン２９を有しており、ＴＶ受像機１の本体側には、リモコン２９からのリモコン信号を受信するためのリモコン信号受信部２５が設けられている。リモコン２９には、メニューの表示の指示操作を行うためのメニューボタン２９ａと、数字キー２９ｂと、各種のメニュー上における項目の選択等に用いられる十字キー２９ｃと、決定キー２９ｄとが設けられている。また、ＴＶ受像機１は、視聴予約に関する各種の管理データを格納した視聴予約管理テーブル２７や、制御プログラム２８を含む各種データを記憶するためのメモリ２６（特定シーン有無情報記憶手段）を有している。
【００２５】
また、ＴＶ受像機１は、ＨＤＲ２から出力されたＨＤＭＩ信号（映像信号と音声信号を含む）を受信すると共に、ＨＤＲ２に対してＣＥＣコマンドの送受信を行うＨＤＭＩレシーバ２４を有している。
【００２６】
図２は、上記ＨＤＲ２の電気的ブロック構成を示す。ＨＤＲ２は、ＨＤＭＩケーブル３を介してＴＶ受像機１と接続されている。ＨＤＲ２は、装置全体の制御を行うＣＰＵ３０と、アンテナ４３を介してディジタルテレビジョン放送信号（トランスポートストリーム）を受信するためのチューナ３１と、各種のデコーダ３３及びエンコーダ３４を含む圧縮・伸張回路３２とを有している。
【００２７】
上記のデコーダ３３は、チューナ３１で受信したトランスポートストリーム中のパケットのデコードや、ＨＤＤ３５内蔵のハードディスクに圧縮形式で記録されたディジタルテレビジョン放送の番組（ファイル）のデコードを行って、映像信号や音声信号を再生する。上記のエンコーダ３４は、デコーダ３３で再生された、ディジタルテレビジョン放送信号に基づく映像信号や音声信号を、ハードディスクに適した圧縮方法と圧縮率で圧縮してＨＤＤ３５に送る処理を行う。また、ＨＤＲ２は、ＨＤＭＩトランスミッタ３７を有している。ＨＤＭＩトランスミッタ３７は、デコーダ３３から送られたデコード後の映像信号及び音声信号を、ＨＤＭＩケーブル３を介して、ＴＶ受像機１に送信する。
【００２８】
さらにまた、ＨＤＲ２は、装置本体のパネルに設けられた、複数の操作キーを有する操作部３８と、赤外線によるリモコン信号を受信するためのリモコン信号受信装置３９と、ＨＤＲ２の装置全体の制御用のプログラムである制御プログラム４１等のプログラムや各種のデータを格納したメモリ４０と、複数の指示操作キーを有するリモコン（リモートコントローラ）４２とを有している。リモコン４２には、各種のメニュー上における項目の選択等に用いられる十字キー４２ａと、決定キー４２ｂとが設けられている。
【００２９】
次に、図３のフローチャートを参照して、連続放送テレビジョン番組の視聴予約をした場合に本ＴＶ受像機１において行われる処理を説明する。ここで、上記の連続放送テレビジョン番組とは、複数回に亘って連続して放送されるテレビジョン番組であり、ドラマやバラエティだけではなく、一連の（関連する）スポーツ番組（例えば、プロ野球の３連戦）が含まれる。まず、ＴＶ受像機１のＣＰＵ１１は、チューナ１４で受信したトランスポートストリーム中のＥＩＴ（Ｅｖｅｎｔ  Ｉｎｆｏｒｍａｔｉｏｎ  Ｔａｂｌｅ）に含まれる番組情報に基づいて、リモコン２９を用いてユーザにより視聴予約された番組が、連続放送テレビジョン番組（以下、「連続放送番組」と略す）であるか否かを判定する（Ｓ１）。この結果、連続放送番組である場合には（Ｓ１でＹＥＳ）、ＣＰＵ１１は、この番組についての視聴予約時刻（放送開始時刻）のＭ分前になると（Ｓ２でＹＥＳ）、前回の番組の特定シーン（例えば、いわゆるハイライトシーン）が有るか否か（前回の番組の特定シーンがＨＤＲ２のハードディスクに録画されているか否か）を判定する（Ｓ３）。ここで、上記のＭ分は、ＨＤＲ２のハードディスクに録画されている番組の特定シーンの再生時間の最大値を意味する。
【００３０】
ＣＰＵ１１は、上記の前回の番組の特定シーンが有るか否かの判定を、図４に示される視聴予約管理テーブル２７に格納された（各連続放送番組のレコードの）特定シーン有無フラグ５１（請求項における特定シーン有無情報）に基づいて行う。具体的には、ＣＰＵ１１は、該当の番組についての特定シーン有無フラグ５１が’１’のときは、前回の番組の特定シーンが有ると判定し、特定シーン有無フラグ５１が’０’のときは、前回の番組の特定シーンが無いと判定する。
【００３１】
上記Ｓ３の判定の結果、前回の番組の特定シーンがある（前回の番組の特定シーンがＨＤＲ２のハードディスクに録画されている）場合には（Ｓ３でＹＥＳ）、ＣＰＵ１１は、視聴予約時刻（放送開始時刻）のＴ分前まで待つ。ここで、Ｔ分は、該当の番組についての前回の番組の特定シーンの再生時間を意味する。そして、視聴予約時刻のＴ分前になると（Ｓ４でＹＥＳ）、ＣＰＵ１１は、上記の前回の番組の特定シーンを再生するようにＨＤＲ２に指示する（特定シーンの再生を指示するためのＣＥＣコマンドをＨＤＲ２に送信する）。この指示に応じて、ＨＤＲ２側のＣＰＵ３０は、ハードディスクに録画されている前回の番組の特定シーンを、ＨＤＤ３５を用いて再生する（Ｓ５）。
【００３２】
そして、この番組の視聴予約時刻（放送開始時刻）になると（Ｓ６でＹＥＳ）、ＣＰＵ１１は、自動的にチャンネルを視聴予約した番組のチャンネルに切り換えて、ユーザに今回の番組の視聴を開始させる（Ｓ７）と共に、今回の番組の特定シーンを作成するために、ＨＤＲ２に対して、今回の番組の少なくとも一部を録画するように指示する（録画を指示するためのＣＥＣコマンドをＨＤＲ２に送信する）。そして、ＣＰＵ１１は、ＨＤＲ２のハードディスクに録画された今回の番組（の少なくとも一部）に基づいて、今回の番組の特定シーンを作成する（Ｓ８）。
【００３３】
具体的には、例えば、（１）ＴＶ受像機１のＣＰＵ１１が、ＨＤＲ２のハードディスクに録画された今回の番組の中から、ユーザがリモコン２９を用いて選択した部分を、つなぎ合わせて、特定シーンとしてＨＤＲ２のハードディスクに録画するように、ＨＤＲ２のＣＰＵ３０に指示してもよい。すなわち、今回の番組の特定シーンを、ユーザ操作による編集で作成してもよい。また、（２）メニューに特定シーンの区間（特定シーンの開始時間と終了時間）を指定するための項目を設けて、ＴＶ受像機１のＣＰＵ１１が、今回の番組における、上記の項目で指定した区間（例えば、番組の終了１０分前から終了５分前までの区間）の部分のみを、特定シーンとしてＨＤＲ２のハードディスクに録画するように、ＨＤＲ２のＣＰＵ３０に指示してもよい。さらにまた、（３）ＴＶ受像機１のＣＰＵ１１が、ＨＤＲ２のハードディスクに録画された今回の番組の中から、特定の音声が流れている部分（シーン）を抽出して、抽出した部分のみを、特定シーンとしてＨＤＲ２のハードディスクに録画するように、ＨＤＲ２のＣＰＵ３０に指示してもよい。また、（４）放送局が、番組における特定シーンの放送信号に、特定シーンであることを示す情報信号を重畳させて放送するようにして、ＴＶ受像機１のＣＰＵ１１が、今回の番組における、上記の情報信号が重畳された部分のみを、特定シーンとしてＨＤＲ２のハードディスクに録画するように、ＨＤＲ２のＣＰＵ３０に指示してもよい。さらにまた、（５）ＴＶ受像機１のＣＰＵ１１が、ＨＤＲ２のハードディスクに録画された今回の番組における、音声信号のレベルが所定のレベル以上の部分（シーン）を抽出して、抽出した部分のみを、特定シーンとしてＨＤＲ２のハードディスクに録画するように、ＨＤＲ２のＣＰＵ３０に指示してもよい。また、（６）ＴＶ受像機１のＣＰＵ１１が、今回の番組における最後から所定時間前の部分（例えば、番組の終了５分前から終了までの部分）のみを、特定シーンとしてＨＤＲ２のハードディスクに録画するように、ＨＤＲ２のＣＰＵ３０に指示してもよい。さらにまた、（７）ＴＶ受像機１のＣＰＵ１１が、番組毎の視聴率（の統計）データを用いて、番組毎の盛上り部分が存在する時間帯の傾向を分析して、この分析結果に基づき、今回の番組における盛上り部分が存在する可能性の高い時間帯の部分のみを、特定シーンとしてＨＤＲ２のハードディスクに録画するように、ＨＤＲ２のＣＰＵ３０に指示してもよい。また、（８）ユーザが、上記（１）〜（７）の特定シーン編集方法のうちのいずれを採用するかを選択できるようにしてもよい。
【００３４】
上記Ｓ８の特定シーン作成処理が終了すると（ＴＶ受像機１のＣＰＵ１１による指示に応じて、ＨＤＲ２による特定シーンの録画が完了すると）、ＴＶ受像機１のＣＰＵ１１は、視聴予約管理テーブル２７に格納された特定シーン有無フラグ５１を、”１”（有り)に更新する。
【００３５】
なお、上記Ｓ１の判定において、連続放送番組でない場合には（Ｓ１でＮＯ）、ＣＰＵ１１は、上記Ｓ６及びＳ７と同様な処理のみを行う（Ｓ９、Ｓ１０）。
【００３６】
上記のように、本実施形態のＴＶ受像機１によれば、視聴予約された番組が連続放送番組である場合、前回の番組の特定シーンがＨＤＲ２のハードディスクに録画されていると、今回の番組の放送が開始される前に、前回の番組の特定シーンをＨＤＲ２により自動的に再生することができる。これにより、ユーザが、今回の番組の視聴を開始する前に、前回の番組の内容を思い出すことができるので、連続放送番組のストーリが分からなくなってしまうことを防ぐことができる。
【００３７】
次に、図５、及び図６のフローチャートを参照して、第２の実施形態によるＴＶ受像機１について説明する。第２の実施形態は、主に請求項６に対応している。第２の実施形態のＴＶ受像機１は、図５に示される視聴予約登録画面６０に、視聴予約された番組の特定シーンを作成するか否かをユーザが設定するための特定シーン有無設定欄６１を設けた点が、第１の実施形態と異なっている。ユーザは、リモコン２９の十字キー２９ｃと決定キー２９ｄとを用いて、特定シーン有無設定欄６１の設定操作を行う。特定シーン有無設定欄６１とリモコン２９とが、請求項における特定シーン作成設定手段に相当する。
【００３８】
また、第２の実施形態のＴＶ受像機１は、図６に示されるように、ユーザにより視聴予約された番組が、連続放送番組である場合でも（Ｓ１１でＹＥＳ）、特定シーン有無設定欄６１で「無し」（特定シーンを作成しない）と設定された番組の特定シーンを作成せず、特定シーン有無設定欄６１で「有り」（特定シーンを作成する）と設定された番組の特定シーンのみを作成（して録画するようにＨＤＲ２に指示）する（Ｓ１７乃至Ｓ１９、及びＳ２１）点が、第１の実施形態と異なっている。なお、図６中のＳ１１、Ｓ１２、Ｓ１３、Ｓ１４、Ｓ１５、Ｓ１６、Ｓ１８、Ｓ１９、Ｓ２０、Ｓ２１は、それぞれ図３中のＳ１、Ｓ２、Ｓ３、Ｓ４、Ｓ５、Ｓ６、Ｓ７、Ｓ８、Ｓ９、Ｓ１０に対応している。
【００３９】
本実施形態のＴＶ受像機１によれば、視聴予約された番組が連続放送番組である場合でも、ドラマ等の前回の番組の特定シーンを今回の番組の冒頭で放送することが多いジャンルの番組については、ユーザが、リモコン２９を用いて視聴予約登録画面６０上の特定シーン有無設定欄６１を「無し」に設定することにより、視聴予約された番組の特定シーンを作成しないように設定することができる。これにより、無駄な特定シーンを作成しないようにすることができるので、視聴予約された全ての連続放送番組の特定シーンを録画する場合と比べて、ハードディスクの記録容量の節約を図ることができる。
【００４０】
次に、図７及び図８を参照して、第３の実施形態によるＨＤＲ２について説明する。図７及び図８において、図１及び図２と同様な部材については、同じ番号を付して、説明を省略する。第３の実施形態では、第１及び第２の実施形態と異なり、ＡＶシステム７０が、チューナを有していない表示装置７１とＨＤＲ７２とから構成されており、視聴予約管理テーブル８１（図１中の視聴予約管理テーブル２７に相当）が、ＨＤＲ７２側のメモリ４０に記憶されている。第３の実施形態では、上記第１及び第２の実施形態と異なり、ＨＤＲ７２側が、請求項における各構成要件（コンテンツ情報編集手段、出力制御手段、連続放送判定手段、特定シーン有無判定手段、特定シーン有無情報記憶手段）を備えている。すなわち、ＨＤＲ７２側のＣＰＵ３０が、請求項におけるコンテンツ情報編集手段、出力制御手段、連続放送判定手段、特定シーン有無判定手段として機能する。さらにまた、ＨＤＲ７２側のメモリ４０が、請求項における特定シーン有無情報記憶手段として機能する。また、本実施形態では、主に、ＨＤＭＩトランスミッタ３７が、請求項におけるコンテンツ出力手段に相当する。
【００４１】
次に、図９のフローチャートを参照して、第４の実施形態によるＴＶ受像機１について説明する。第４の実施形態は、主に請求項８に対応している。上記第１の実施形態では、今回の番組の放送が開始される前に、前回の番組の特定シーンを自動的に再生するようにしたが、第４の実施形態では、ビデオコンテンツの出力（再生）を一定時間以上中断した後に、このビデオコンテンツの出力を再開するときに、このコンテンツにおける未出力部分を出力する前に、このコンテンツにおける出力が終了している部分の特定シーンを出力するようにした。この点が、第４の実施形態と第１の実施形態との相違点である。図９に示されるように、本実施形態におけるＴＶ受像機１の電気的ブロック構成は、メモリ２６に、視聴予約管理テーブル２７の代わりに、再生管理テーブル８１を格納している点以外は、図１に示される第１の実施形態のＴＶ受像機１の電気的ブロック構成と同様である。本実施形態では、主に、映像信号処理回路１７、液晶表示パネル１９、音声信号処理回路２０、及び本体スピーカ２２が、請求項におけるコンテンツ出力手段に相当する。また、ＣＰＵ１１が、請求項におけるコンテンツ情報編集手段、及び出力制御手段に相当する。
【００４２】
次に、図１０のフローチャートを参照して、ユーザが、ＨＤＲ２に録画されたビデオコンテンツの視聴を一定時間以上中断した後に、このコンテンツの視聴（再生）を再開する場合に、本ＴＶ受像機１において行われる処理を説明する。ユーザが、ＨＤＲ２に録画されたビデオコンテンツの視聴を一定時間以上中断すると（ＴＶ受像機１がビデオコンテンツの出力を一定時間以上中断すると）(Ｓ３１)、ＴＶ受像機１のＣＰＵ１１は、ＨＤＲ２に録画された、このビデオコンテンツにおける出力（再生）が終了している部分（の少なくとも一部）に基づいて、このビデオコンテンツにおける出力が終了している部分の特定シーンを作成して、ＨＤＲ２に録画させる（Ｓ３２）。そして、ユーザが、リモコン２９を用いて、ビデオコンテンツの出力（再生）の再開を指示すると（Ｓ３３でＹＥＳ）、ＴＶ受像機１のＣＰＵ１１は、図１１に示される再生管理テーブル８１に格納された（各ビデオコンテンツのレコードの）特定シーン有無フラグ８２に基づいて、このビデオコンテンツにおける出力が終了している部分の特定シーンが有る（ＨＤＲ２に録画されている）か否かを判定する（Ｓ３４）。
【００４３】
上記Ｓ３４の判定の結果、出力が終了している部分の特定シーンがある場合には（Ｓ３４でＹＥＳ）、ＣＰＵ１１は、この特定シーンを再生するようにＨＤＲ２に指示する（特定シーンの再生を指示するためのＣＥＣコマンドをＨＤＲ２に送信する）。この指示に応じて、ＨＤＲ２側のＣＰＵ３０は、ハードディスクに録画されている前回の番組の特定シーンを、ＨＤＤ３５を用いて再生する（Ｓ３５）。この特定シーンの再生が終了すると、ＴＶ受像機１のＣＰＵ１１は、未再生部分の再生を行うようにＨＤＲ２に指示する（未再生部分の再生を指示するためのＣＥＣコマンドをＨＤＲ２に送信する）。この指示に応じて、ＨＤＲ２側のＣＰＵ３０は、このビデオコンテンツの未再生部分を、ＨＤＤ３５を用いて再生する（Ｓ３６）。言い換えると、ＴＶ受像機１のＣＰＵ１１は、ビデオコンテンツの出力（再生）を一定時間以上中断した後に、このビデオコンテンツの出力を再開するときに、このコンテンツにおける未出力部分を出力する前に、このコンテンツにおける出力が終了している部分の特定シーンを出力する。
【００４４】
本実施形態のＴＶ受像機１によれば、ユーザが、ビデオコンテンツの視聴を一定時間以上中断した後に、このコンテンツの視聴を再開する場合でも、このコンテンツにおける未出力部分が出力される前に、このコンテンツにおける出力が終了している部分の特定シーンが出力される。これにより、ユーザが、未視聴（未出力）部分の視聴を開始する前に、これまでの内容を思い出すことができる。これにより、ユーザがビデオコンテンツのストーリを分からなくなってしまうことを防ぐことができる。
【００４５】
なお、本発明は、上記実施形態の構成に限られず、発明の趣旨を変更しない範囲で種々の変形が可能である。例えば、上記実施形態では、本発明のコンテンツ出力装置がテレビジョン受像機又はＨＤＲである場合の例を示したが、本発明の適用対象となるコンテンツ出力装置は、いわゆるセットトップボックスタイプのテレビジョン受信装置であってもよいし、ＤＶＤレコーダ、ＤＶＤプレーヤ、ＢＤレコーダ、ＢＤプレーヤ等の録画再生装置であってもよい。また、上記の各実施形態では、請求項におけるコンテンツ情報が、テレビジョン番組やビデオコンテンツ等のコンテンツの特定シーンである場合の例を示したが、コンテンツ情報は、これに限られず、例えば、テキストデータや音声データで表された、前回の番組のあらすじ等であってもよい。
【符号の説明】
【００４６】
１    ＴＶ受像機（コンテンツ出力装置）
１１  ＣＰＵ（コンテンツ情報編集手段、出力制御手段、連続放送判定手段、特定シーン有無判定手段）
１７  映像信号処理回路（コンテンツ出力手段）
１９  液晶表示パネル（コンテンツ出力手段）
２０  音声信号処理回路（コンテンツ出力手段）
２２  本体スピーカ（コンテンツ出力手段）
２６  メモリ（特定シーン有無情報記憶手段）
２９  リモコン（特定シーン作成設定手段）
３０  ＣＰＵ（コンテンツ情報編集手段、出力制御手段、連続放送判定手段、特定シーン有無判定手段）
３７  ＨＤＭＩトランスミッタ（コンテンツ出力手段）
４０  メモリ（特定シーン有無情報記憶手段）
６１  特定シーン有無設定欄（特定シーン作成設定手段）
７２  ＨＤＲ（コンテンツ出力装置）
【図１】
2013236279.tif 000003
【図２】
2013236279.tif 000004
【図３】
2013236279.tif 000005
【図４】
2013236279.tif 000006
【図５】
2013236279.tif 000007
【図６】
2013236279.tif 000008
【図７】
2013236279.tif 000009
【図８】
2013236279.tif 000010
【図９】
2013236279.tif 000011
【図１０】
2013236279.tif 000012
【図１１】
2013236279.tif 000013